(57)【要約】      （修正有）【課題】 ボールの早い収集による施設管理者への負担軽減を図るため、小規模なゴルフ練習場で、利用できる小型軽量のボール収集器を提供する。【解決手段】長短２種類の棒状部材１，２をフォーク状（手の指を開いたような状態）に並べた棒状部材から成るボール収集器は、長さがボールの直径の５．０〜１０．０倍のものと、それよりもボールの直径の１．０〜２．０倍短いもの長短２種類の棒状部材１，２を、ボールの直径の０．６〜０．９倍の間隔に、５〜１５本を交互に並べたもので、長さの差はボール受け側７の先端の位置の差とした構造を有し、ボール受け側７の棒状部材１，２の先端部分に円弧の曲がりがあり、その高さ、横の寸法は、ともに１ｍｍ〜ボールの半径で、円弧の半径が１ｍｍ〜ボールの半径とする形状を有する。【選択図】図１
0003168155.tif 000002
【実用新案登録請求の範囲】
【請求項１】
取っ手（３）、囲い（４）（５）（６）（固定部含む）、棒状部材（１）（２）よりなる、長短２種類の棒状部材（１）（２）をフォーク状（手の指を開いたような状態）に並べた棒状部材から成るボール収集器において、長さがボールの直径の５．０〜１０．０倍のものと、それよりもボールの直径の１．０〜２．０倍短いもの長短２種類の棒状部材（１）（２）を、ボールの直径の０．６〜０．９倍の間隔に、５〜１５本を交互に並べたもので、長さの差はボール受け側（７）の先端の位置の差とした構造からなるボール収集器。
【請求項２】
棒状部材（１）（２）の形状は、ボール受け側（７）の先端部分に円弧の曲がりを有し、高さ（１０）、横（９）の寸法は、ともに１mm〜ボールの半径で、円弧の半径が１mm〜ボールの半径とした特徴を有する請求項１に記載したボール収集器。
【考案の詳細な説明】
【技術分野】
【０００１】
散乱したボールの収集に関するものである。
【背景技術】
【０００２】
小規模なゴルフ練習場の早朝の風景として、散乱したゴルフボールの収集を、１人の年配の方が片手で２〜３個のゴルフボールを拾い、もう一方の手で持つバケツに入れると言う一連の行動(以下従来の行動と呼ぶ)の繰り返し作業を１時間以上行っているのを見た。
【０００３】
「ボール収集器」「ボール収集機」「ボール回収機」「ボール収集装置」で公開されたものがあるが、いずれもが自動化による大量のボールの収集を目的としたもので、少量のボールの収集を目的とした、簡単な構造で安価な器具に関するものはない(特許文献１〜４を参照)。
【先行技術文献】
【特許文献】
【０００４】
【特許文献１】特開平０９−０２８９１７
【特許文献２】特開平０９−２９９５１５
【特許文献３】特開２００８−２２０９３５
【特許文献４】特開２０１０−２５３２１９
【考案の概要】
【０００５】
「ボール収集器」「ボール収集機」「ボール回収機」「ボール収集装置」で公開されたものがあるが、いずれもが自動化による大量のボールの収集を目的としたもので、少量のボールの収集を目的とした、簡単な構造で安価な器具に関するものはない(特許文献１〜４を参照)。
【考案が解決しようとする課題】
【０００６】
背景技術に述べたように、その風景を見て、仕事として［図７］の従来の行動１回で拾うボールの数が数個なのは、あまりにも少ないと思い、少なければ少ないほど収集時間が増えるために、施設管理者の負担も増大することになる。本考案は、以上のことから［図７］の従来の行動１回の中で拾うボールの数を増すことで、収集時間の短縮となるため、施設管理者の負担軽減を提供することになる。
【課題を解決するための手段】
【０００７】
本考案は請求項１として、長短２種類の棒状部材（１）（２）をフォーク状（手の指を開いたような状態）に並べた棒状部材から成るボール収集器において、長さがボールの直径の５．０〜１０．０倍のものと、それよりもボールの直径の１．０〜２．０倍短いもの長短２種類の棒状部材（１）（２）を、ボールの直径の０．６〜０．９倍の間隔に、５〜１５本を交互に並べたもので、長さの差はボール受け側(7)の先端の位置の差とした構造からなるボール収集器である。尚,ボールとは,ゴルフボール,野球ボールなどの球状,玉状のもの全てを指し、寸法の範囲は、ボールと棒状部材（１）（２）との接触部分を少なくするための調整域で、本数の範囲は、乗せるボールの数、その重量、利用者の持続力の３つの関係を考慮して決めるものとする。
【０００８】
請求項２として、棒状部材（１）（２）の形状は、ボール受け側(7)の先端部分に円弧の曲がりを有し、高さ（１０）、横（９）の寸法は、ともに１mm〜ボールの半径で、円弧の半径が１mm〜ボールの半径とした特徴を有する請求項１に記載したボール収集器である。
尚、この形状は、ボールの散乱場所の表面の凹凸や芝生などによるボール収集器の操作の妨げになる引っ掛かりを少なくするためのもので、その寸法の範囲は、その凹凸の程度や芝生の長短などに対応する為の調整域とする。
以上のボール収集器を利用することで、収集時間が短縮されるため、施設管理者の負担軽減を提供する。
【考案の効果】
【０００９】
ボール収集器の素早い操作で、多くのボールを収集でき、その数は、［図７］の従来の行動１回で拾えるボール数の数倍となるため、収集時間の短縮となり、施設管理者の負担が大幅に軽減されることになる。
尚、棒状部材（１）（２）の強度を強くする工夫をすると、より多くのボールを乗せることが可能となり、施設管理者のより大きな負担軽減となる。
【図面の簡単な説明】
【００１０】
【図１】本考案の斜視図で、本考案の全体の姿や形をイメージするための図であり、説明に多用した基本図。
【図２】本考案の利用状態図で、利用する時のボールとの位置関係を示した図。
【図３】本考案の操作手順で、置き場所の確保からボールの移動までの一連の素早い行動を流れ図で示したもの。
【図４】本考案で使用する棒状部材の側面図と寸法。
【図５】本考案で使用する棒状部材の並びなどの組合わせの平面図と寸法。
【図６】ゴルフボール用の試作器と実施例で、試作器は、硬い針金と硬いダンボールで作製し、ジュウタンを芝生に見立て、その上にゴルフボールを置き、［図３］の操作手順を繰り返しテストした時の実施例を図示。
【図７】背景技術で記載したように、早朝の風景で見たときの一連の操作手順を流れ図で示したもの。
【考案を実施するための形態】
【００１１】
請求項１に関しては、斜視図のように、長さがボールの直径の５．０〜１０．０倍のものと、それよりもボールの直径の１．０〜２．０倍短いもの長短２種類の棒状部材（１）（２）をボールの直径の０．６〜０．９倍の間隔に、５〜１５本を交互に並べたフォーク状のもので、長さの差はボール受け側(7)の先端の位置の差とした構造からなるボール収集器。
尚、寸法の範囲は、ボールと棒状部材（１）（２）との接触部分を少なくするための調整域で、本数の範囲は、乗せるボールの数、その重量、利用者の持続力の３つの関係を考慮して決める調整域とする。
【００１２】
請求項２に関しては、棒状部材（１）（２）の形状と寸法は、ボール受け側（７）の先端部分が扇形の曲がりで、寸法は高さ（１０）、横（９）とも１mm〜ボールの半径で、円弧の半径は１mm〜ボールの半径とした特徴を有する請求項１に記述したボール収集器。
尚、この形状は、ボールの散乱場所の表面の凹凸や芝生などの上でのボール収集器の操作で起こる引っ掛かりを少なくするためのもので、その寸法の範囲は、凹凸の程度や芝生の長短などに対応する為の調整域とする。
本考案は、以上の構造と形状を有し、［図２］の使用状態を考慮し、利用方法は、［図３］の操作手順による。
【実施例】
【００１３】
ゴルフボール用の試作器の作製を［図１］、［図４］、［図５］を基に説明、次に操作手順を［図２］、［図３］を基に説明、最後に実施例を［図６］で示す。
試作器は、［図１］の斜視図のように、長さがボールの直径の５．０〜１０．０倍のものと、それよりもボールの直径の１．０〜２．０倍短いもの長短２種類の棒状部材（１）（２）をボールの直径の０．６〜０．９倍の間隔に、５〜１５本を交互に並べたフォーク状のもので,長さの差はボール受け側（７）の先端の位置の差とした構造とし、棒状部材（１）（２）の形状と寸法が、ボール受け側（７）の先端部分が円弧の曲がりで、寸法は高さ（１０）、横（９）とも１mm〜ボールの半径で、円弧の半径は１mm〜ボールの半径の形状をも有したボール収集器とする。
【００１４】
次に、操作手順実施直前の準備として、［図２］の使用状態図のように収集すべきボール（８）の付近にボール収集器を置く大きさの場所を確保してから、［図３］による操作手順を実施する。
【００１５】
最後に、以上の構造と形状のゴルフボール用の試作器として、硬い針金（直径２ｍｍ）を［図５］の寸法と［図４］の側面図を基に７本（長いもの４本、短しかいもの３本）を作製、それを硬いダンボール紙に刺した試作器（［図６］参照）を作製し、ジュウタン上にゴルフボールを置き、試作器での収集テストの結果を実施例として［図６］に示す。
以下に、寸法、本数等の補足説明をする。
【００１６】
囲い（左）（４）、囲い（後）（５）、囲い（右）（６）の高さを高くすると、ボールの重ね乗せができ、［図３］の１回の操作手順で、より多くのボール収集が可能となる。
【００１７】
棒状部材（１）（２）の交互の並びとその寸法は、”ボールのスムーズな受け入れ”のためなら、長い棒状部材（２）同士の間隔は広い方が良く、逆に、”多くのボールを乗せる” ためなら、長い棒状部材（２）と短い棒状部材（１）の間隔は、狭い方が良いと言う、相反する条件を満足させる寸法となるため、この寸法がボール収集器の能力を左右する最も重要な数値の一つとなる。
【００１８】
棒状部材（１）（２）のボール受け側（７）の先端部の切り口の角を丸めるか、先端から数ｍｍを内側に１８０°以内に曲げることで、ボールにキズを付けることが少なくなる。
【００１９】
棒状部材（１）（２）の固定部材（［図５］参照）の固定方法は、鉄材、鋼材などの硬い材質のものを用いて、ネジ止め又は溶接とするが、長い棒状部材（２）の全てにスプリングを付け可動式に固定することで、塀などの障害物の隅にあるボールを拾うことができ、その操作方法は、ボール収集器をボールに向けて押し、そのまま障害物に強く押し当て、棒状部材（１）（２）の先端が揃った時点で、そのまま持上げると良い。
【００２０】
利用者の姿勢が中腰となることが多いため、腰への負担軽減策として取っ手（３）と囲い（５）の間に５０．０〜１５０．０ｃｍの木、プラスチックなどの柄を設ける。
【産業上の利用可能性】
【００２１】
棒状部材（１）（２）の並べる間隔で、拾えるボールの可否が明確になることを生かした新しい構造と形のものを提案できる。
（イ）ゴルフ練習場、ゴルフ場などの業界において活用できる。
（ロ）危険な場所や汚れた場所などに散乱したボールの収集に利用可能である。
【符号の説明】
【００２２】
１    棒状部材（短い）
２    棒状部材（長い）
３    取っ手
４    囲い（左）
５    囲い（後）
６    囲い（右）
７    ボール受け側
８    ボール
９    横
１０    高さ
【図１】
0003168155.tif 000003
【図２】
0003168155.tif 000004
【図３】
0003168155.tif 000005
【図４】
0003168155.tif 000006
【図５】
0003168155.tif 000007
【図６】
0003168155.tif 000008
【図７】
0003168155.tif 000009